(57)【特許請求の範囲】
【請求項１】
第１光ディスクの記録及び再生と、第２光ディスクの再生とが可能な光ディスク装置において、
前記第１光ディスクに記録されたデータを読み出し、前記第２光ディスクに記録された時間情報付のＰＣＭデータを読み出し、順次、ＳＤＲＡＭに一時的に格納するＡＴＡＰＩコントローラと、
前記ＡＴＡＰＩコントローラに接続されており、送信データ量と受信データ量との一致を確認しつつ、前記ＡＴＡＰＩコントローラから前記ＳＤＲＡＭに格納されている前記時間情報付のＰＣＭデータを読み出すＡＶデコーダと、
を備え、
前記ＡＶデコーダは、
前記時間情報付きの前記ＰＣＭデータから、前記時間情報と前記ＰＣＭデータを分離して、別々に管理するとともに、前記時間情報と前記ＰＣＭデータとを同期させて出力し、
前記ＡＴＡＰＩコントローラは、
前記時間情報と前記ＰＣＭデータを交互に前記ＳＤＲＡＭに格納することを特徴とする光ディスク装置。
【発明の詳細な説明】
【０００１】
【発明の属する技術分野】
本発明は、光ディスク装置、特に、ＰＣＭデータを読み取り可能な光ディスク装置に関する。
【０００２】
【従来の技術】
ＤＶＤ（ディジタル・バーサタイル・ディスク）から映像及び／又は音声を再生したり、再生に加え、ＤＶＤに映像及び又は音声を記録する光ディスク装置は、一般に、ＡＴＡＰＩ又はＳＣＳＩコントローラによりデータの送受信を制御する。また、このような光ディスク装置は、ＤＶＤの再生だけでなく、ＣＤ（コンパクトディスク）に記録されたＰＣＭデータも再生できるものが多い。
【０００３】
図１は、従来の光ディスク装置の第１の例である。この光ディスク装置では、ＤＶＤを再生する場合、ＡＴＡＰＩコントローラ４によってデータの読み出しが制御され、ＡＶデコーダ４によって所定のデータ数毎に読み出され、ビデオエンコーダ１３で処理されて出力される。また、アンテナや外部機器から入力されるデータはＡＶエンコーダ２５でＭＰＥＧ２に圧縮された後、ＡＴＡＰＩコントローラ４により光ディスクへの記録が制御される。ＣＤを再生する場合には、フロントエンド部３に接続された専用線３１によってＰＣＭデータが切替部ＳＷに伝送され、サブＱコード（時間情報）はＡＴＡＰＩコントローラ４及びＡＶデコーダ１１を介して切替部ＳＷに伝送される。切替部ＳＷによる信号経路の切替によって、ＰＣＭデータとサブＱコード（時間情報）とを同期させてＤＩＴ１５に出力する。ＤＩＴ１５では、ＰＣＭデータ及び時間情報からディジタルオーディオデータが生成され、Ｓ／Ｐ  ＤＩＦ端子に出力される。
【０００４】
図２は、従来の光ディスク装置の第２の例である。第２の例では、第１の例においてフロントエンド部３に接続されていた専用線３１に代わり、ＡＴＡＰＩコントローラ４に接続される専用線４１を備えている点以外は、第１の例と同様の構成である。即ち、ＣＤを再生する場合には、ＰＣＭデータは、ＡＴＡＰＩコントローラ４に読み込まれた後、専用線４１によって切替部ＳＷに伝送され、サブＱコード（時間情報）はＡＴＡＰＩコントローラ４及びＡＶデコーダ１１を介して切替部ＳＷに伝送される。切替部ＳＷによる信号経路の切替によって、ＰＣＭデータとサブＱコード（時間情報）とを同期させてＤＩＴ１５に出力する。
【０００５】
【発明が解決しようとする課題】
第１及び第２の例では、専用線３１又は４１によって伝送されるＰＣＭデータと、別の経路で伝送される時間情報とを、切替部ＳＷによる信号経路の切替によって同期させるので、ＰＣＭデータと時間情報との同期の制御が困難であり、十分に同期できない場合がある。
【０００６】
ビデオデータとオーディオデータとを同期させて再生する装置が、特開２０００−３２４１６３号公報に記載されている。この装置は、ビデオデータを再圧縮する際に付加される時間情報を、その同時刻に再生すべきオーディオデータが含まれるパケットにも付加することにより、ビデオデータ及びオーディオデータを同期させる装置である。しかし、上記公報に記載では、ＤＶＤに記録されたＭＰＥＧ２形式のビデオデータ及びオーディオデータを同期させる構成が記載されているのみで、ＤＶＤを再生可能な光ディスク装置において、ＣＤに記録されたＰＣＭデータと時間情報とを同期させる構成についての記載はない。
【０００７】
本発明の目的は、ＤＶＤ及びＣＤ用の光ディスク装置において、ＰＣＭデータと時間情報との同期を容易にすることにある。
【０００８】
【課題を解決するための手段】
第１発明に係る光ディスク装置は、第１光ディスクの記録及び再生と、第２光ディスクの再生とが可能な光ディスク装置において、
前記第１光ディスクに記録されたデータを読み出し、前記第２光ディスクに記録された時間情報付のＰＣＭデータを読み出し、順次、ＳＤＲＡＭに一時的に格納するＡＴＡＰＩコントローラと、
前記ＡＴＡＰＩコントローラに接続されており、送信データ量と受信データ量との一致を確認しつつ、前記ＡＴＡＰＩコントローラから前記ＳＤＲＡＭに格納されている前記時間情報付のＰＣＭデータを読み出すＡＶデコーダと、
を備え、
前記ＡＶデコーダは、
前記時間情報付きの前記ＰＣＭデータから、前記時間情報と前記ＰＣＭデータを分離して、別々に管理するとともに、前記時間情報と前記ＰＣＭデータとを同期させて出力し、
前記ＡＴＡＰＩコントローラは、
前記時間情報と前記ＰＣＭデータを交互に前記ＳＤＲＡＭに格納することを特徴とする。
【０００９】
第１発明によれば、第１光ディスクの記録再生及び第２光ディスクの再生が可能な光ディスク装置において、第２光ディスクの再生を行なう場合に、ＡＴＡＰＩコントローラにより時間情報付のＰＣＭデータを読み出し、順次、ＳＤＲＡＭに一時的に格納するので、ＰＣＭデータと時間情報との同期が容易である。また、送出データ量と受信データ量との一致を確認しつつ、ＡＴＡＰＩコントローラからＡＶデコーダへ、ＳＤＲＡＭに格納されているデータの読み出しを行なうので、ノイズなどの影響によりＰＣＭデータと時間情報との同期がずれるのを防止できる。また、ＰＣＭデータを読み出すための専用線が必要なくなり、構成を簡易にし、コストダウンも図れる。
【００１５】
【発明の実施の形態】
（１）構成
図３は、本発明の一実施形態例に係る光ディスク装置である。この光ディスクは、ＤＶＤ（ディジタル・バーサタイル・ディスク）又はＣＤ（コンパクト・ディスク）である。
【００１６】
この光ディスク装置は、レーザ及びフォトディテクタからなる光学ピックアップ１と、回転駆動機構２と、光学ピックアップ１及び回転駆動機構２を制御するフロントエンド部３とを備えている。
フロントエンド部３にはＡＴＡＰＩコントローラ４が接続されており、ＡＴＡＰＩコントローラ４にはＳＤＲＡＭ５が接続されている。ＡＴＡＰＩコントローラ４は、ＳＣＳＩコントローラなど他のインターフェースでも良い。さらに、ＡＴＡＰＩコントローラ４にはＡＶデコーダ１１が接続されており、ＡＶデコーダ１１にはＳＤＲＡＭ１２、ビデオエンコーダ１３、ＤＡ変換部１４が接続されている。また、ＡＴＡＰＩコントローラ４にはＡＶエンコーダ２５が接続されており、ＡＶエンコーダ２５にはＳＤＲＡＭ２６、ＡＤ変換部２３、ＡＤＣ／Ｙ／ＣＳＥＰ２４が接続されている。ＡＤ変換部２３、ＡＤＣ／Ｙ／Ｃ  ＳＥＰ２４はセレクタ２２に接続されており、セレクタ２２は、チューナ２１を介してアンテナに接続されている。またセレクタ２２はＡｕｄｉｏＩＮ端子、ＶｉｄｅｏＩＮ端子に接続されている。また、この光ディスク装置は、フラッシュメモリ１０１と、メインＭＰＵ１０２と、チューナ及びタイマＭＰＵ１０３と、表示部１０４と、キー操作部１０５とを備えている。
【００１７】
ＡＴＡＰＩコントローラ４は、フロントエンド部３との間のデータの送受信を制御する。ＳＤＲＡＭ５は、ＡＴＡＰＩコントローラ４により送受信するデータを一時的に格納する。図４は、ＣＤに記録されたオーディオデータを再生する際に、ＳＤＲＡＭ５に格納されるサブＱコード（時間情報）付のＰＣＭデータのデータ構成例である。同図に示すように、ＡＴＡＰＩコントローラ４は、サブＱコード（時間情報）付のＰＣＭデータを順次、ＳＤＲＡＭ５に格納する。
【００１８】
ＡＶデコーダ１１は、リクエスト信号ＳＲＥＱによって、ＡＴＡＰＩコントローラ４からデータを読み出す。
ＡＶデコーダ１１は、ＡＴＡＰＩコントローラ４から読み出したＭＰＥＧ２形式のデータを解凍し、ビデオエンコーダ１３に出力する。ビデオエンコーダ１３は、解凍後のＭＰＥＧ２データをアナログビデオ信号に変換し、ＶｉｄｅｏＯｕｔ端子に出力する。
【００１９】
ＣＤの再生時には、ＡＶデコーダ１１は、ＡＴＡＰＩコントローラ４からＳＤＲＡＭ５に格納されているサブＱコード付のＰＣＭデータ（２３６８バイト）を順次受信する。ＡＶデコーダ１１は、受信データが２３６８バイトになるごとにＳＲＥＱを立ち下げ、ＡＴＡＰＩコントローラ４からのデータ送信を停止させ、割り込み要求ｆｌａｇを立てる。
【００２０】
図５は、ＡＶデコーダ１１におけるデータの管理を説明する模式図である。ＡＶデコーダ１１は、サブＱコード付のＰＣＭデータから、サブＱコードとＰＣＭデータとを分離し、これらを別々に管理する。具体的には、ＡＶデコーダ１１は、サブＱコード（時間情報）及びＰＣＭデータを別々にＡＶデコーダ１１のレジスタに設定する。
【００２１】
さらに、メインＭＰＵ２は、レジスタの時間情報を読み出し、この時間情報とＰＣＭデータとを同期させて、ＡＶデコーダ１１からディジタルオーディオデータを出力させる。図６は、ＡＶデコーダ１１から出力するディジタルオーディオデータの概念図である。同図に示すように、ＰＣＭデータは３２ビットのメインデータ部に格納され、時間情報はコントロールコード部に格納される。
【００２２】
なお、ＡＶデコーダ１１は、ＰＣＭデータをＤＡ変換部１４にも出力し、ＤＡ変換部１４は受信したＰＣＭデータをアナログオーディオ信号に変換してＡｕｄｉｏＯｕｔ端子に出力する。
チューナ２２は、アンテナで受信した信号のチャンネルを選択する。セレクタ２２は、アンテナ、ＡｕｄｉｏＩＮ端子又はＶｉｄｅｏＩＮ端子のいずれかの入力信号を選択し、オーディオデータをＡＤ変換部２３に出力し、ビデオデータをＡＤＣ／Ｙ／Ｃ  ＳＥＰ２４に出力する。ＡＤ変換部２３は、オーディオデータをアナログからディジタルに変換する。ＡＤＣ／Ｙ／Ｃ  ＳＥＰ２４は、ビデオデータをアナログからディジタルに変換する。ＡＶエンコーダ２５は、オーディオデータ及びビデオデータをＭＰＥＧ２に圧縮する。ＳＤＲＡＭ２６は、ＡＶエンコーダ２５でＭＰＥＧ２に変換したデータを一時的に格納する。
【００２３】
フラッシュメモリ１０１には、ＡＴＡＰＩコントローラ４、ＡＶデコーダ１１、ＡＶエンコーダ２５の制御のためのパラメータが蓄積されている。メインＭＰＵ１０２は、ＡＴＡＰＩコントローラ４、ＡＶデコーダ１１、ＡＶエンコーダ２５に接続されており、これらの動作を制御する。ＣＤの再生時には、メインＭＰＵ１０２は、ＡＶデコーダ１１の割り込み要求ｆｌａｇを検出し、ＡＴＡＰＩコントローラ４のリードポインタの変化に基づいてＡＴＡＰＩコントローラ４からの送出データ量を算出し、この送出データ量が２３６８バイトの倍数に一致するか否か判定する。メインＭＰＵ１０２は、送出データが２３６８バイトの倍数に一致する場合は、ＡＶデコーダ１１にデータの読み込みを再開させ、送出データが２３６８バイトの倍数に一致しない場合には、所定のエラー処理を行なった後、ＡＶデコーダ１１にデータの読み込みを再開させる。
【００２４】
チューナ及びタイマＭＰＵ１０３は、ＭＣＵ１０２からの指令に基づいて、チューナ２１を制御すると共に、表示部１０４に時間情報などを表示する。さらに、チューナ及びタイマＭＣＵ１０３は、キー操作部１０５及びリモコンからの信号を受信し、ＭＣＵ１０２に出力する。
上記では、ＡＶデコーダ１１及びＡＶエンコーダ２５を別々に設けたが、これらの両方の機能を有するＡＶコーデックを使用しても良い。
【００２５】
（２）フローチャート
図７は、本実施形態例に係る光ディスク装置によるＰＣＭデータの再生のフローチャートである。
ステップＳ１１：ＡＶデコーダ１１（又はＡＶコーデック）は、サブＱコード付のＰＣＭデータ（２３６８バイト）を読み出し、サブＱコードを時間情報としてレジスタに設定する。
【００２６】
また、ＡＶデコーダ１１（又はＡＶコーデック）は、メインＭＰＵ１０２の制御により、ＰＣＭデータに時間情報を同期させてディジタルオーディオデータを生成し、Ｓ／Ｐ  ＤＩＦ端子に出力する。
ステップＳ１２：ＡＶデコーダ１１（又はＡＶコーデック）は、受信したデータが２３６８バイトに到達したか否かを判別する。受信データが２３６８バイトに到達していなければステップＳ１１に戻る。一方、受信データが２３６８バイトに到達していればステップＳ１３に移行する。
【００２７】
ステップＳ１３：ＡＶデコーダ１１（又はＡＶコーデック）は、リクエスト信号ＳＲＥＱを立ち下げ、割り込み要求ｆｌａｇを立てる。
ステップＳ１４：メインＭＣＵ１０２は、割り込み要求ｆｌａｇを検出すると、ＡＴＡＰＩコントローラ４からの送出データが、２３６８バイトの倍数に一致するか否かを判別する。一致していればステップＳ１１に戻り、ＡＶデコーダ１１（又はＡＶコーデック）はＡＴＡＰＩコントローラ４からのデータの受信を再開する。一方、一致していなければ、ステップＳ１５に移行する。
【００２８】
ステップＳ１５：所定のエラー処理を実行し、ステップＳ１１に戻る。
（３）まとめ
本実施形態例に係る光ディスク装置によれば、ＡＴＡＰＩコントローラ４によりサブＱデータ付のＰＣＭデータ（２３６８バイト）を読み出すので、ＰＣＭデータと時間情報との同期が容易である。
【００２９】
また、送出データ量と受信データ量との一致を確認しつつ、ＡＴＡＰＩコントローラ４からＡＶデコーダ１１へのデータの読み出しを行なうので、ノイズなどの影響によりＰＣＭデータと時間情報との同期がずれるのを防止できる。
また、ＰＣＭデータを読み出すための専用線が必要なくなり、構成を簡易にし、コストダウンが図れる。
【００３０】
【発明の効果】
本発明によれば、ＡＴＡＰＩコントローラなどのインターフェースにより時間情報付のＰＣＭデータを読み出すので、ＰＣＭデータと時間情報との同期が容易である。
【図面の簡単な説明】
【図１】光ディスク装置の第１の従来例。
【図２】光ディスク装置の第２の従来例。
【図３】本発明の一実施形態例に係る光ディスク装置。
【図４】ＳＤＲＡＭ５のデータ構造例。
【図５】ＡＶデコーダ１１におけるデータの管理を説明する模式図。
【図６】ＡＶデコーダ１１から出力されるデータ構造例。
【図７】ＰＣＭデータ再生のフローチャート。
【符号の説明】
１  光ピックアップ
２  回転駆動機構
３  フロントエンド部
４  ＡＴＡＰＩ又はＳＣＳＩコントローラ
５  ＳＤＲＡＭ
１１  ＡＶデコーダ
１２  ＳＤＲＡＭ
１３  ビデオエンコーダ
１４  ＤＡ変換部
２１  チューナ
２２  セレクタ
２３  ＡＤ変換部
２４  ＡＤＣ／Ｙ／Ｃ  ＳＥＰ
２５  ＡＶエンコーダ
２６  ＳＤＲＡＭ
１０１  フラッシュメモリ
１０２  メインＭＰＵ
１０３  チューナ及びタイマＭＣＵ
１０４  表示部
１０５  キー操作部
【図１】
0004463465.tif 000002
【図２】
0004463465.tif 000003
【図３】
0004463465.tif 000004
【図４】
0004463465.tif 000005
【図５】
0004463465.tif 000006
【図６】
0004463465.tif 000007
【図７】
0004463465.tif 000008